(57)【要約】      （修正有）【課題】起動されている機能と、回転ダイヤル等の操作部材上に表示された指標との不一致を抑制し、使用性を向上させた携帯電子機器を提供する。【解決手段】携帯電話機１は、操作部側筐体２に所定の動作が可能に配置される回転ダイヤル部４１と、回転ダイヤル部４１に配置され機能に対応する指標が複数表示されるダイヤル表示部４１Ｂと、回転ダイヤル部４１が操作された際に、ダイヤル表示部４１Ｂに表示される複数の指標のうち、選択位置Ｓに位置された指標に対応した機能を実行する機能実行部と、選択位置Ｓに第１機能に対応した第１指標が位置された状態において、第１機能とは異なる第２機能が機能実行部により実行される場合、ダイヤル表示部４１Ｂにおける選択位置Ｓに表示される指標を、第１指標から第２機能に対応する第２指標に変更させる表示制御部と、を備える。【選択図】図１
2010232925.tif 000002
【特許請求の範囲】
【請求項１】
筐体と、
前記筐体に所定の動作が可能に配置される操作部材と、
前記操作部材に配置され、機能に対応する指標が複数表示される指標表示部と、
前記操作部材が操作された際に、前記指標表示部に表示される複数の指標のうち、所定位置に位置された指標に対応した機能を実行する機能実行部と、
前記指標表示部における所定位置に第１機能に対応した第１指標が位置された状態において、前記第１機能とは異なる第２機能が前記機能実行部により実行される場合、
前記指標表示部における前記所定位置に表示される指標を、第１指標から前記第２機能に対応する第２指標に変更させる表示制御部と、を備える
携帯電子機器。
【請求項２】
前記指標表示部には、前記複数の指標が所定順序で表示され、
前記表示制御部は、前記所定順序を維持しながら前記所定位置に位置される指標を前記第１指標から第２指標に変更する
請求項１に記載の携帯電子機器。
【請求項３】
前記機能実行部に前記第２機能を実行させることを指示する指示部と、を更に備え、
前記機能実行部は、
前記指示部より実行が指示された前記第２機能を実行可能であると共に、前記操作部材の所定の動作により選択された前記第１機能の実行中に前記指示部により前記第２機能の実行が指示された場合には、前記第１機能を中断又は終了して、前記第２機能を実行させる
請求項１又は２に記載の携帯電子機器。
【請求項４】
前記指示部は、
前記第１機能にて予め連携起動が対応づけられている機能を前記第２機能として実行指示可能である
請求項１から３のいずれか一項に記載の携帯電子機器。
【請求項５】
前記第２機能は、通信に関する機能である
請求項４に記載の携帯電子機器。
【請求項６】
前記指標表示部は、電子ペーパにて構成される
請求項１から５のいずれか一項に記載の携帯電子機器。
【発明の詳細な説明】
【技術分野】
【０００１】
本発明は、回転ダイヤルを有する携帯電子機器に関する。
【背景技術】
【０００２】
携帯電子機器としての携帯電話機において、より直感的なユーザインターフェースが要求されている。ここで、ヒンジ部を有するフォルダタイプの携帯電話機において、ヒンジ部にボリューム切り替え等に用いる回転ダイヤルを設けた携帯電話機が知られている（例えば、特許文献１を参照。）。
【０００３】
近年、携帯電話機は、通信・通話機能のみならずテレビやラジオを視聴する機能も搭載され多機能化されている。
ここで、携帯電話機において、テレビ視聴機能等の機能が選択されていない場合には、通信・通話の待ち受け画面がトップ画面として表示される。
そして、ユーザが所定の操作を行うことにより、待ち受け画面から他の機能を選択するメニュー選択画面に移行すると共に、当該選択メニュー画面においてユーザが所定の機能を選択することで所望の機能を起動させることができる。
【先行技術文献】
【特許文献】
【０００４】
【特許文献１】特開平６−９０２００号公報
【発明の概要】
【発明が解決しようとする課題】
【０００５】
回転ダイヤルが設けられた携帯電話機においては、回転ダイヤルの周面に、携帯電話機が備える複数の機能のそれぞれに対応した複数の指標（アイコン）が付されている。そして、ユーザは、複数の機能のうちの所定の機能を起動させたい場合には、回転ダイヤルを回転させて、当該機能に対応したアイコンを所定の選択位置に一致させることで、当該機能を起動させられる。また、携帯電話機の機能は、回転ダイヤルを回転させる以外の操作（例えば、所定のキーを押圧する操作）によっても選択できる。
そのため、回転ダイヤルにより所定の機能（例えば、メール機能）を選択して起動させた状態で、回転ダイヤルとは異なる操作により、他の機能（例えば、カメラ機能）が起動された場合には、起動されている機能（カメラ機能）と、回転ダイヤルにより示されたアイコンに対応する機能（メール機能）とが一致しなくなってしまうという問題があった。
【０００６】
本発明は、起動されている機能と、回転ダイヤル等の操作部材上に表示された指標との不一致を抑制し、使用性を向上させた携帯電子機器を提供することを目的とする。
【課題を解決するための手段】
【０００７】
本発明は、筐体と、前記筐体に所定の動作が可能に配置される操作部材と、前記操作部材に配置され、機能に対応する指標が複数表示される指標表示部と、前記操作部材が操作された際に、前記指標表示部に表示される複数の指標のうち、所定位置に位置された指標に対応した機能を実行する機能実行部と、前記指標表示部における所定位置に第１機能に対応した第１指標が位置された状態において、前記第１機能とは異なる第２機能が前記機能実行部により実行される場合、前記指標表示部における前記所定位置に表示される指標を、第１指標から前記第２機能に対応する第２指標に変更させる表示制御部と、を備える携帯電子機器に関する。
【０００８】
また、前記指標表示部には、前記複数の指標が所定順序で表示され、前記表示制御部は、前記所定順序を維持しながら前記所定位置に位置される指標を前記第１指標から第２指標に変更することが好ましい。
【０００９】
また、前記機能実行部に前記第２機能を実行させることを指示する指示部と、を更に備え、前記機能実行部は、前記指示部より実行が指示された前記第２機能を実行可能であると共に、前記操作部材の所定の動作により選択された前記第１機能の実行中に前記指示部により前記第２機能の実行が指示された場合には、前記第１機能を中断又は終了して、前記第２機能を実行させることが好ましい。
【００１０】
また、前記指示部は、前記第１機能にて予め連携起動が対応づけられている機能を前記第２機能として実行指示可能であることが好ましい。
【００１１】
また、前記第２機能は、通信に関する機能であることが好ましい。
【００１２】
また、前記指標表示部は、電子ペーパにて構成されることが好ましい。
【発明の効果】
【００１３】
本発明によれば、起動されている機能と、回転ダイヤル等の操作部材上に表示された指標との不一致を抑制し、使用性を向上させた携帯電子機器を提供することができる。
【図面の簡単な説明】
【００１４】
【図１】本発明に係る携帯電話機の外観図である。
【図２】携帯電話機の閉状態における表示部側筐体から見たときの外観図である。
【図３】携帯電話機の閉状態における操作部側筐体から見たときの外観図である。
【図４】回転ダイヤル部付近の拡大図である。
【図５】回転ダイヤル部の機能を示す図である。
【図６】回転ダイヤル部における裏面から見た平面図である。
【図７】回転ダイヤル部に形成された位置ポイントとカウント部との関係を説明する図である。
【図８】携帯電話機の機能を示す機能ブロック図である。
【図９Ａ】メモリに記憶されている回転量−機能テーブルを説明する図である。
【図９Ｂ】メモリに記憶されている回転量−機能テーブルを説明する図である。
【図１０】メモリに記憶されている表示順序テーブルを説明する図である。
【図１１】起動時における携帯電話機１の動作を説明するフロー図である。
【図１２】起動時におけるダイヤル表示部４１Ｂの表示態様を説明する図である。
【図１３】回転ダイヤル部４１によらない機能変更時における携帯電話機１の動作を説明するフロー図である。
【図１４】回転ダイヤル部４１によらない機能変更時におけるダイヤル表示部４１Ｂの表示態様を説明する図である。
【図１５】メニュー画像Ｍを説明する図である。
【発明を実施するための形態】
【００１５】
以下、本発明の実施の形態について説明する。
まず、図１から図７により、携帯電話機１における構成について説明する。図１は、本発明に係る携帯電話機の一例である携帯電話機１の外観図を示す。また、図２は、携帯電話機１の閉状態における表示部側筐体３から見たときの外観図を示す。また、図３は、携帯電話機１の閉状態における操作部側筐体２から見たときの外観図を示す。また、図４は、回転ダイヤル部４１付近の拡大図を示す。また、図５は、回転ダイヤル部の機能を示す図である。図６は、回転ダイヤル部４１における裏面４１ｃから見た平面図である。図７は、回転ダイヤル部４１に形成された位置ポイント４３とカウント部４４との関係を説明する図である。
【００１６】
携帯電話機１は、図１に示すように、第１面としての第１表面部１０を有する操作部側筐体２と、第２面としての第２表面部２０を有する表示部側筐体３と、を備えて構成される。操作部側筐体２の上端部と表示部側筐体３の下端部とは、連結部４に配置されるヒンジ機構４Ａを介して連結される。
【００１７】
携帯電話機１は、ヒンジ機構４Ａを介して連結された操作部側筐体２と表示部側筐体３とを相対的に回転することにより、操作部側筐体２における第１表面部１０と表示部側筐体３における第２表面部２０とが互いに離間した開状態と、操作部側筐体２における第１表面部１０と操作部側筐体２における第２表面部２０とが互いに対向して近接配置された閉状態とに変形可能に構成される。
また、携帯電話機１は、ヒンジ機構４Ａと略同軸に設定された回転軸Ｚを中心に回転可能に取り付けられた回転ダイヤル部４１が配置される。
【００１８】
操作部側筐体２は、第１表面部１０Ａと第１裏面部１０Ｂとを有する。操作部側筐体２における第１表面部１０Ａには、図１に示すように、閉状態にて隠れる操作部１１と、使用者が通話時に発した音声が入力されるマイク１２とが配置される。操作部側筐体２における第１裏面部１０Ｂには、図３に示すように、被写体を撮像するＣＣＤ（Ｃｈａｒｇｅ  Ｃｏｕｐｌｅｄ  Ｄｅｖｉｃｅ）カメラ等により構成される撮像部１７と、一定の光量を出力する発光部１８とが形成される。
【００１９】
操作部１１は、各種設定や電話帳機能やメール機能等の各種機能（アプリケーション）を動作させるためのキー、オフフックキーや、オンフックキーを含む機能設定操作ボタン１３と、電話番号の数字やメール等の文字等を入力するための入力操作ボタン１４と、各種操作における決定やスクロール等を行う決定操作ボタン１５と、ボリュームコントロール等を行うコントロールボタン１６と、から構成される。
ここで、機能設定操作ボタン１３は、指示部材３００を含んで構成される。指示部材３００は、所定の機能（アプリケーション）を選択する操作部材である。携帯電話機１には、所定の機能（アプリケーション）を選択する操作部材として、指示部材３００のほか、後に詳述する回転ダイヤル部４１が配置される。
【００２０】
指示部材３００としては、メールボタン３００Ａ、受話ボタン３００Ｂ、インターネットボタン３００Ｃが配置される。メールボタン３００Ａは押下されることによりメール機能を指示し、受話ボタン３００Ｂは、押下されることにより電話通信機能を指示し、インターネットボタン３００Ｃは、押下されることによりインターネット通信機能を指示する。各ボタン３００Ａ、３００Ｂ、３００Ｃへの押下操作によって、後述する機能実行指示部７３に指示信号が出力され、機能実行指示部７３が後述する機能実行部７４に実行信号を出力する。
【００２１】
また、操作部側筐体２は、キー構造部と、キー基板と、ケース体と、基準電位パターン層及び携帯電話機用のＲＦ（Ｒａｄｉｏ  Ｆｒｅｑｕｅｎｃｙ）モジュール等の各種電子部品を備える回路基板と、アンテナ部と、充電池８０と、後述する回転ダイヤル部４１における回転量を検出するために用いられるカウント部４４（図７参照）と、を収容する。
【００２２】
表示部側筐体３における第２表面部２０には、各種情報を表示するための表示部としてのディスプレイ２１と、通話の相手側の音声を出力する音声出力部２２と、が配置される。
【００２３】
ディスプレイ２１は、トップ画面として通信・通話待ち受け画像を表示する。また、ディスプレイ２１は、機能の内容を示す画像を含むメニュー画像（画面）Ｍ（図１５参照）が表示可能に構成される。詳細には、ディスプレイ２１には、後述するタッチセンサ２００（接触検出部７１）が回転ダイヤル部４１に指等の導電体が接触したことを検出した場合、メニュー画像Ｍが表示される。
【００２４】
メニュー画像Ｍ（図１５参照）は、目印４２の横に並ぶ選択位置Ｓに配置された後述の指標Ｉに対応する機能（アプリケーション）の内容を示す画像及び／文字を含む。メニュー画像Ｍは、開状態において操作部１１及びディスプレイ２１側から見た回転ダイヤル部４１における指標表示部としてのダイヤル表示部４１Ｂの表示態様と類似して構成される。本実施形態においては、メニュー画像Ｍは、アプリケーションに対応する機能の名称（略称）を含んで構成される。メニュー画像Ｍは、ダイヤル表示部４１Ｂにおける指標Ｉと同様（例えば、相似）の画像を含んで構成されていてもよい。また、ディスプレイ２１は、所定の機能を動作させるためのアプリケーションに基づく画像を表示可能に構成される。なお、ディスプレイ２１は、閉状態において隠れる位置に配されている。
【００２５】
ここで、カメラ機能を動作させるアプリケーションが起動している場合、ディスプレイ２１には、撮像部１７により撮像される画像が表示可能に構成される。メール機能を動作させるアプリケーションが起動されている場合、ディスプレイ２１には、受信された電子メールの一覧やメール作成画面が表示可能に構成される。カレンダー機能を動作させるアプリケーションが起動されている場合、ディスプレイ２１には、各月のカレンダー画面やスケジュール画面が表示可能に構成される。ツール機能を動作させるアプリケーションが起動されている場合、ディスプレイ２１には、複数のツール機能を示す指標が表示可能に構成される。テレビ機能を動作させるアプリケーションが起動されている場合、ディスプレイ２１には、受信した放送信号のうち選択されたチャンネルに対応する放送信号に基づいた映像を表示可能に構成される。メモ帳機能を動作させるアプリケーションが起動されている場合、ディスプレイ２１には、文字入力が可能な入力画面が表示可能に構成される。アドレス帳機能を動作させるアプリケーションが起動されている場合、ディスプレイ２１には、不図示のメモリに記憶される複数のアドレス情報が表示可能に構成される。これらのアプリケーションは、オンフックキー（終話キー）の押下で終了させることが可能である。
【００２６】
上述のアプリケーションが終了された場合、ディスプレイ２１は、トップ画面としての通信・通話待受画面を表示する。そして、後述する機能実行部７４は、電話機能を使用可能なアプリケーションを動作させている。そして、操作部１１は、数字を入力する機能が割り当てられた入力操作ボタン１４が押下されることで発呼すべき電話番号の入力を受け付ける。
【００２７】
表示部側筐体３における第２裏面２０Ｂには、図２に示すように、各種情報を表示するためのサブディスプレイ２３が閉状態であっても外部に露出する位置に配置される。
サブディスプレイ２３にも同様に、上述の各種機能を動作させるアプリケーションに基づく画像が表示されるが、ディスプレイ２１に比べて画面が小さいので、ディスプレイ２１に表示される画像の一部や、相似（小さくした）画像が表示される。また、サブディスプレイ２３には、各種機能のうち携帯電話機１が閉状態の場合では起動されない機能を動作させるアプリケーションに基づく画像は表示されないように構成される。
【００２８】
ここで、ディスプレイ２１及びサブディスプレイ２３それぞれは、液晶パネルと、液晶パネルを駆動する駆動回路と、液晶パネルの背面側から光を照射するバックライト等の光源部とを有して構成される。
【００２９】
回転ダイヤル部４１は、回転軸Ｚを中心として回転可能に配置される。具体的には、回転ダイヤル部４１は、筐体の一部である連結部４における幅方向Ｘにヒンジ機構４Ａと略同軸の回転軸Ｚを中心として回転可能に取り付けられる。回転ダイヤル部４１は、図１に示すように、携帯電話機１が開状態において、操作部１１及びディスプレイ２１を見ながら回転操作が可能に配置される。
【００３０】
回転ダイヤル部４１は、当接部４１Ａと、ダイヤル表示部４１Ｂとを備える。当接部４１Ａは、回転ダイヤル部４１における側面であって、該回転ダイヤル部４１が取り付けられた状態で幅方向Ｘにおける端部側に配置される部分に形成される。当接部４１Ａは、表面に凹凸が形成され回転ダイヤル部４１を回転動作させやすいように構成される。
【００３１】
ダイヤル表示部４１Ｂは、回転ダイヤル部４１における側面であって、該回転ダイヤル部４１が取り付けられた状態で当接部４１Ａよりも幅方向Ｘにおける中央側に配置される部分に形成される。ダイヤル表示部４１Ｂには、表面に機能を示す記号又絵である指標Ｉが表示される。ダイヤル表示部４１Ｂには、図５に示すように、回転方向に所定角度（例えば、４５度）ごとに機能を示す指標Ｉが表示される。
【００３２】
具体的には、ダイヤル表示部４１Ｂには、標準位置としてのニュートラルを示す丸印の指標Ｉａが表示される。また、ダイヤル表示部４１Ｂには、４５度（ニュートラルを基準とした場合の回転ａ方向の角度を示す。以下同様である。）の位置に形成されるカメラ機能を示すカメラの指標Ｉｂが表示される。また、ダイヤル表示部４１Ｂには、９０度の位置に形成されたメール機能を示す手紙の指標Ｉｃが表示される。また、ダイヤル表示部４１Ｂには、１３５度に形成されたカレンダー機能を示すカレンダーの指標Ｉｄが表示される。また、ダイヤル表示部４１Ｂには、１８０度の位置に形成されたツール機能を示す工具の指標Ｉｅが表示される。また、ダイヤル表示部４１Ｂには、２２５度の位置に形成されたテレビ機能を示すテレビの指標Ｉｆが表示される。また、ダイヤル表示部４１Ｂには、２７０度の位置に形成されメモ帳機能を示すペンの指標Ｉｇが表示される。また、ダイヤル表示部４１Ｂには、３１５度の位置に形成されアドレス機能を示す手帳の指標Ｉｈが表示される。このようなダイヤル表示部４１Ｂは、複数の指標Ｉを同時に表示する。
【００３３】
ダイヤル表示部４１Ｂは、回転操作が加えられた当接部４１Ａの回転にともなって回転される。携帯電話機１が開状態における操作部１１及びディスプレイ２１側に表示される指標Ｉ（アイコン）は、当接部４１Ａによる回転にともなって変更される。更には、連結部４の外面であって携帯電話機１が開状態において操作部１１及びディスプレイ２１側を向く位置に形成される目印４２と幅方向Ｘに並んだ位置である選択位置Ｓに配置される指標Ｉは、回転ダイヤル部４１の回転にともなって変更される。選択位置Ｓに配置される指標Ｉは、回転ダイヤル部４１の回転量により決まる。本実施形態において、回転位置は標準位置を基準とした回転量により示される。ここで、本実施形態において、標準位置とは、ダイヤル表示部４１Ｂにおける丸印の指標Ｉａが選択位置Ｓに配置された状態をいう。
【００３４】
本実施形態において、ダイヤル表示部４１Ｂは、当接部４１Ａの回転とは無関係に、すなわち当接部４１Ａをともなうことなく、指標Ｉの表示の変更が可能となっている。当接部４１Ａの回転をともなわない指標Ｉの変更は、例えば、選択位置Ｓにカメラ機能に対応した指標Ｉｂが表示されているとき、指標Ｉｂをメール機能に対応した指標Ｉｃに変更することをいう。このような指標Ｉの表示変更を可能とするため、ダイヤル表示部４１Ｂの材料として電子ペーパを用いることができる。そして、電子ペーパを回転ダイヤル部４１の中央側の外周を覆うように配置することにより、ダイヤル表示部４１Ｂが構成される。
【００３５】
当接部４１Ａの回転をともなわない指標Ｉの変更を可能とするため、電子ペーパからなるダイヤル表示部４１Ｂは、後述する表示制御部７５（図８参照）に接続されて表示が制御される。ダイヤル表示部４１Ｂにおける指標Ｉの変更は、選択位置Ｓに位置している指標だけを変更するものではなく、ダイヤル表示部４１Ｂが表示している全ての指標Ｉを同時に変更するものである。しかも、全ての指標Ｉの同時変更は、所定の表示順序を維持するように行われる。具体的には、ダイヤル表示部４１Ｂにおいては、後述する図１０で示す表示順序テーブル１２１の順序が維持されるように指標Ｉの変更がなされる。例えば、選択位置Ｓにカメラ機能に対応した指標Ｉｂが表示されている場合に、この選択位置Ｓに位置する表示をメール機能に対応した指標Ｉｃに変更する場合には、上流側にカレンダー機能に対応した指標Ｉｄが位置し、下流側にカメラ機能に対応した指標Ｉｂが位置し、これらの間に指標Ｉｃが挟まれた状態となるように変更がなされる。
【００３６】
電子ペーパは、一旦表示を行えば、その後継続表示するだけでは電力消費が実質発生せず、表示変更を行うときにのみ電力消費が生ずる、という特徴を有している。
そのため、本発明の実施形態においてはダイヤル表示部４１Ｂの表示デバイスの例として電子ペーパを示した。ダイヤルの回転に伴った機能実行する場合には、ダイヤル表示部４１Ｂもダイヤルと共に回転するため、表示変更の必要がないため電力消費が生じない。
そして、ダイヤルの回転に伴わずに新たな機能が実行される場合にのみ、ダイヤル表示部４１Ｂの表示変更を行う。すなわち、ダイヤル回転動作に基づかずに新たな機能を起動するときに、この瞬間にのみダイヤル表示部４１Ｂでの電力消費が生じる。つまり、ダイヤルに表示部を設けているにもかかわらず、極力電力消費を低減させるという効果を奏することが出来る。
【００３７】
回転ダイヤル部４１における連結部４側には、連結部４に形成された不図示の挿通部に挿入される回転軸部４５が形成される。回転ダイヤル部４１における連結部４側の面である裏面４１ｃには、図６に示すように、円周方向（回転方向）に沿って突起状の位置ポイント４３ａから４３ｈが形成される。位置ポイント４３ａから４３ｈは、円周方向に所定間隔をあけて形成される。位置ポイント４３ａから４３ｈは、円周方向において、各機能を示す指標Ｉ同士の間に形成される。
【００３８】
連結部４には、回転ダイヤル部４１が回転された状態における位置ポイント４３ａから４３ｈの移動軌跡上に舌片４４ａが位置するカウント部４４が配置される。
カウント部４４は、舌片４４ａが回転方向に傾くことで通過した位置ポイント４３ａから４３ｈの数をカウントする。具体的には、舌片４４ａが回転ａ方向に傾いた場合においてはカウント数を加算し、回転ｂ方向に傾いた場合にはカウント数を減算する。標準位置を基準としたカウント数に応じて、後述する機能選択部７２（図８参照）により回転ダイヤル部４１における回転量が検出され、その結果、回転位置が特定できる。
【００３９】
更に、回転ダイヤル部４１は、導電性を有する金属製、あるいは導電性を有するように処理された樹脂製の部材により構成される。
回転ダイヤル部４１の内部には、該回転ダイヤル部４１への接触を検出するためのタッチセンサ２００が配置される。タッチセンサ２００は、回転ダイヤル部４１にユーザの指が当接された場合における静電容量の変化を接触検出部７１に出力可能に構成される。
【００４０】
ここで、回転ダイヤル部４１の操作及び機能について説明する。回転ダイヤル部４１は、図４に示すように、ユーザの指により当接部４１ａに回転方向（図４中の矢印の回転ａ方向及び矢印の回転ｂ方向）への力が加えられることで回転するように筐体における連結部４に取り付けられる。回転ダイヤル部４１には、上述の通り、回転方向において所定の間隔ごとに指標Ｉ（指標ＩａからＩｈ）が付されている。指標Ｉは、図５に示すように、アプリケーションを選択する際にユーザにとって理解（イメージ）しやすい記号や絵によって描かれている。
【００４１】
具体的には、回転ダイヤル部４１が、図５に示すように、ユーザの回転操作によって、無操作時（ニュートラル（Ｎ））を基準として、回転ａ方向に４５度（回転ｂ方向に３１５度）±２２．５度回転されることにより、撮像部１７のカメラ機能を動作させるアプリケーションが選択されて起動可能な状態となる。そして、ユーザの指が回転ダイヤル部４１から離間して所定時間（例えば、２から３秒間）経過した後、撮像部１７のカメラ機能を動作させるアプリケーションが起動する。
【００４２】
また、ユーザの回転操作によって、回転ダイヤル部４１が回転ａ方向に９０度（回転ｂ方向に２７０度）±２２．５度回転されることにより、メールの機能を動作させるアプリケーションが選択されて起動可能な状態となる。そして、ユーザの指が回転ダイヤル部４１から離間して所定時間（例えば、２から３秒間）経過した後、メール機能を動作させるアプリケーションが起動する。
【００４３】
また、ユーザの回転操作によって、回転ダイヤル部４１が回転ａ方向に１３５度（回転ｂ方向に２２５度）±２２．５度回転されることにより、カレンダー機能を動作させるアプリケーションが選択されて起動可能な状態となる。そして、ユーザの指が回転ダイヤル部４１から離間して所定時間（例えば、２から３秒間）経過した後、カレンダー機能を動作させるアプリケーションが起動する。
【００４４】
また、ユーザの回転操作によって、回転ダイヤル部４１が回転ａ方向に１８０度（回転ｂ方向に１８０度）±２２．５度回転されることにより、ツールメニュー（携帯電話機１における音出力等に関する各種の設定を行うメニュー）を動作させるアプリケーションが選択されて起動可能な状態となる。そして、ユーザの指が回転ダイヤル部４１から離間して所定時間（例えば、２から３秒間）経過した後、ツールメニュー機能（携帯電話機１における音出力等に関する各種の設定を行うメニュー）を動作させるアプリケーションが起動する。
【００４５】
また、ユーザの回転操作によって、回転ダイヤル部４１が回転ａ方向に２２５度（回転ｂ方向に１３５度）±２２．５度回転されることにより、テレビ機能を動作させるアプリケーションが選択されて起動可能な状態となる。そして、ユーザの指が回転ダイヤル部４１から離間して所定時間（例えば、２から３秒間）経過した後、テレビ機能を動作させるアプリケーションが指定されて起動する。
【００４６】
また、ユーザの回転操作によって、回転ダイヤル部４１が回転ａ方向に２７０度（回転ｂ方向に９０度）±２２．５度回転されることにより、メモ帳機能を動作させるアプリケーションが選択されて起動可能な状態となる。そして、ユーザの指が回転ダイヤル部４１から離間して所定時間（例えば、２から３秒間）経過した後、メモ帳機能を動作させるアプリケーションが起動する。
【００４７】
また、ユーザの回転操作によって、回転ダイヤル部４１が回転ａ方向に３１５度（回転ｂ方向に４５度）±２２．５度回転されることにより、アドレス帳機能を動作させるアプリケーションが選択されて起動可能な状態となる。そして、ユーザの指が回転ダイヤル部４１から離間して所定時間（例えば、２から３秒間）経過した後、アドレス帳機能を動作させるアプリケーションが起動する。
【００４８】
次いで、図８により、携帯電話機１における機能的な構成について説明する。図８は、携帯電話機１の機能を示す機能ブロック図である。
携帯電話機１は、図８に示すように、所定の情報を表示する表示部としてのディスプレイ２１、ユーザの操作により回転される回転ダイヤル部４１と、タッチセンサ２００と、外部の端末と通信を行う通信部６０と、所定の処理を行うＣＰＵ７０と、所定容量を有する充電池８０と、充電池８０から供給される電源電圧を所定の電圧に変換し、変換後の電圧を通信部６０やＣＰＵ７０等に供給する電源回路部９０と、指示部材３００と、メモリ１００と、を備える。
【００４９】
通信部６０は、所定の使用周波数帯により外部装置と通信を行うメインアンテナ６１と、変調処理又は復調処理等の信号処理を行う通信処理部６２と、を備える。
【００５０】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であってもよい。また、メインアンテナ６１は、所定の使用周波数帯の他に、第２の使用周波数帯（例えば、２ＧＨｚ）に対応できる、いわゆるデュアルバンド対応型による構成であってもよいし、更に、第３の使用周波数帯以上にも対応できる複数バンド対応型により構成されていてもよい。
【００５１】
通信処理部６２は、メインアンテナ６１によって受信した信号を復調処理し、処理後の信号をＣＰＵ７０に供給し、一方、ＣＰＵ７０から供給された信号を変調処理し、メインアンテナ６１を介して外部装置（基地局）に送信する。
【００５２】
電源回路部９０は、充電池８０から供給される電源電圧を所定の電圧値に変圧し、変圧後の電源電圧を通信部６０やＣＰＵ７０等に供給する。
【００５３】
指示部材３００は、メールボタン３００Ａ、受話ボタン３００Ｂ、インターネットボタン３００Ｃを有する。これらのメールボタン３００Ａ、受話ボタン３００Ｂ、インターネットボタン３００Ｃが押下操作されることにより、それぞれ電話通信機能、メール機能、インターネット通信機能の起動や当該機能への変更が要求される。つまり、メールボタン３００Ａ、受話ボタン３００Ｂ、インターネットボタン３００Ｃを押下することで、各ボタンに対応した機能を直接起動又は対応した機能に直接変更させることができる。
メールボタン３００Ａ、受話ボタン３００Ｂ、インターネットボタン３００Ｃを押下することで、各ボタンに対応した機能を実行中の機能（例えば、テレビ機能）に対して優先して割り込み処理さされる。つまり、メールボタン３００Ａ、受話ボタン３００Ｂ、インターネットボタン３００Ｃが押下されることで、変更（起動）要求の信号は、割り込み指定信号としてＣＰＵ７０の機能実行指示部７３に出力される。
【００５４】
また、メモリ１００は、回転量―機能テーブル記憶部１１０と、表示順序テーブル記憶部１２０と、を有する。
回転量―機能テーブル記憶部１１０は、機能選択部７２にて検出される回転量（カウント数）と複数の機能（アプリケーション）との対応関係を示す回転量―機能テーブル（１１１、１１２）を記憶する。回転量―機能テーブル（１１１、１１２）は、回転ダイヤル部４１の回転方向及び回転量に対応して振り分けられた機能（アプリケーション）を示すテーブルである。
図９Ａ及び図９Ｂに示すように、回転量―機能テーブル記憶部１１０は、回転ダイヤル部４１が回転ａ方向に回転された場合における第１テーブル１１１及び回転ダイヤル部４１が回転ｂ方向に回転された場合における第２テーブル１１２を記憶する。
【００５５】
図１０に示すように、表示順序テーブル記憶部１２０は、表示順序テーブル１２１を記憶する。表示順序テーブル１２１は、ダイヤル表示部４１Ｂにおける指標（機能）の表示順序に関する情報を含む。本実施形態において、表示順序は、ニュートラルを基準（順序１）として、回転ダイヤル部４１における円周方向（図１における下方に向かう回転方向）における順序である。
【００５６】
後述の通り、ダイヤル表示部４１Ｂにおける表示内容は、表示順序テーブル１２１により規定された順序を維持して更新（変更）される。指標の表示順序が維持された状態でダイヤル表示部４１Ｂの表示内容が更新されることで、ユーザのイメージに沿った機能変更が可能であり、回転ダイヤル部４１における使用性が良好なものとなる。
【００５７】
ここで、ダイヤル表示部４１Ｂにおける指標（機能）の表示順序は、適宜変更することができる。例えば、表示順序は、ユーザが自由に変更してもよく、各機能における使用頻度に応じて変更されるようにしてもよい。
【００５８】
ＣＰＵ７０は、回転ダイヤル部４１から供給される回転量に応じて各種機能に対する起動処理を行う。
ここで、ＣＰＵ７０の構成と動作について説明する。
ＣＰＵ７０は、回転ダイヤル部４１へ導電体（例えば、ユーザの指）が接触したことを検出する接触検出部７１と、機能選択部７２と、機能実行部７４と、表示制御部７５と、機能実行指示部７３とを備える。
【００５９】
接触検出部７１は、回転ダイヤル部４１の内部に配置されるタッチセンサ２００により検出される静電容量の変化により、回転ダイヤル部４１に所定の導電体が接触しているかを検出する。言い換えると、接触検出部７１は、タッチセンサ２００により検出される静電容量の変化により、回転ダイヤル部４１に所定の導体が接触している接触状態であるか、回転ダイヤル部４１に所定の導体が接触していない非接触状態であるかを検出する。
接触検出部７１は、タッチセンサ２００により検出される静電容量の変化に基づいて所定の導電体が回転ダイヤル部４１に接触していることを検出した場合、機能選択部７２と、機能実行部７４と、機能実行指示部７３とに検出信号を出力する。
【００６０】
機能選択部７２は、回転ダイヤル部４１における回転に基づいて、複数の機能のうち所定の機能を実行する機能として指定する。機能選択部７２は、接触検出部により接触が検出された状態における回転ダイヤル部４１の回転に基づいて実行する機能を指定する。
【００６１】
機能選択部７２は、回転ダイヤル部４１における回転量を検出する。
機能選択部７２は、接触検出部７１からの検出信号を受信することで、回転ダイヤル部４１における回転を検出可能な状態になる。機能選択部７２は、接触検出部７１からの検出信号を受信しなくなるか又は非検出信号を受信するまで、回転ダイヤル部４１における回転を検出可能な状態で維持される。
【００６２】
機能選択部７２は、上述の通り、カウント部４４にカウントされた位置ポイント４３ａから４３ｈの数により回転ダイヤル部４１における回転量を検出する。例えば、回転ａ方向を＋とした場合において、カウント部４４における位置ポイントのカウント数が「＋１」である場合、機能選択部７２は、回転量を２２．５度から６７．５度であることを検出する。そして、機能選択部７２は、一定時間（例えば、１から２秒）カウント部４４における位置ポイントのカウント数が変化しない場合、当該回転量を確定させる。また、機能選択部７２は、カウント部４４における舌片４４ａの傾き方向によって回転方向を検出する。
【００６３】
機能選択部７２は、検出された回転ダイヤル部４１における回転（回転方向及び回転量）に基づいて、所定の機能を指定する。具体的には、機能選択部７２は、接触検出部７１により検出された状態が接触状態から非接触状態に変化した場合、検出された回転に基づいて機能を指定する。詳細には、機能選択部７２は、接触検出部７１により検出された状態が接触状態から非接触状態に変化した場合、検出された回転に基づいて選択位置のアイコンＩに対応した機能（アプリケーション）を指定する。
【００６４】
機能選択部７２は、メモリ１００に記憶された回転量−機能テーブル（１１１、１１２）を参照して、機能を指定する。詳細には、機能選択部７２は、検出された回転方向により第１テーブル１１１又は第２テーブル１１２のいずれか選択して参照し、検出された回転量により指定する機能を決定する。また、機能選択部７２は、所定の機能を指定した場合、指定機能に関する情報を機能実行部７４に出力する。そして、機能選択部７２は、指定された機能の起動又は指定された機能への変更の要求を機能実行指示部７３に出力する。
【００６５】
機能実行指示部７３は、機能変更（起動）要求に基づいて、機能実行部７４に対して機能変更（実行）を指示する。具体的には、機能実行指示部７３は、回転ダイヤル部４１による機能変更要求、指示部材３００による機能変更要求や各種メニューに基づく機能選択要求に基づいて、機能実行部７４に対して機能変更（実行）を指示する。
【００６６】
具体的には、回転ダイヤル部４１により機能変更の操作がなされた場合、機能実行指示部７３は、機能選択部７２から出力された変更（実行）要求を受信する。そして、機能実行指示部７３は、機能実行部７４に対して、受信した変更要求により指定される機能を実行するよう指示する。
【００６７】
また、機能実行指示部７３は、機能変更要求が回転ダイヤル部４１による変更要求かを判定する。そして、機能実行指示部７３は、機能変更要求が回転ダイヤル部４１による変更要求であると判定した場合、表示制御部７５に対し、その旨を通知する。
【００６８】
また、機能実行指示部７３は、機能変更要求が回転ダイヤル部４１による変更要求ではないと判定した場合、変更後の機能が回転ダイヤル部４１の動作により変更可能に割り当てられた機能群に含まれるかを判定する。そして、機能実行指示部７３は、判定結果を表示制御部７５に出力する。
【００６９】
ここで、指示ボタン（指示部材）３００としてのメールボタン３００Ａ、受話ボタン３００Ｂ、インターネットボタン３００Ｃからの変更要求は、優先して割り込み処理される。機能実行指示部７３は、指示ボタン（指示部材）３００としてのメールボタン３００Ａ、受話ボタン３００Ｂ、インターネットボタン３００Ｃからの変更要求を受けた場合、機能実行部７４に対して、実行中の機能を中断又は終了させ、変更要求された機能を実行するよう指示する。
【００７０】
機能実行部７４は、機能選択部７２により指定された機能を実行する。
具体的には、機能実行部７４は、機能選択部７２により機能変更（実行）を受けて機能実行指示部７３により指示された機能を実行する。
【００７１】
また、機能実行部７４は、携帯電話機１が電源ＯＮされると、まずＯＳプログラムを立ち上げ、ＯＳ管理下で基準アプリケーションプログラムを起動する。このとき、表示制御部７５はディスプレイ２１に待受画面を表示可能としている。その後、起動すべきアプリケーションが発生する都度、ＯＳ管理下で基準アプリケーションプログラムを終了あるいは中断して新たなアプリケーションプログラムを起動する。この処理に応じて、表示制御部７５は、ディスプレイ２１上に、待受画面に代えて新たに起動したアプリケーションに基づく画面を表示させる。
【００７２】
表示制御部７５は、ディスプレイ２１の表示を制御する。接触検出部７１が静電容量の変化に基づいて回転ダイヤル部４１に導電体が接触したことを検出した場合、表示制御部７５は、複数の機能を示す画像を含むメニュー画像Ｍ（画面）をディスプレイ２１に表示する。具体的には、表示制御部７５は、機能選択部７２により指定された機能を示す画像を含むメニュー画像Ｍをディスプレイ２１に表示させる（図１５参照）。
【００７３】
表示制御部７５は、ダイヤル表示部４１Ｂの表示内容を制御する。
表示制御部７５は、選択位置Ｓに表示される指標（機能）と、実行中の機能とが一致するようにダイヤル表示部４１Ｂにおける表示内容を変更させる。
具体的には、表示制御部７５は、ダイヤル表示部４１Ｂが選択位置Ｓに一の機能（第１機能）に対応した第１指標を表示している状態において、第１機能とは異なった別の機能（第２機能）が機能実行部７４によって実行されたとき、選択位置Ｓにおける指標が第２機能に対応した第２指標に変更されるようにダイヤル表示部４１Ｂを制御する。従って、実行されている第２機能に対応した指標が回転ダイヤル部４１のダイヤル表示部４１Ｂに表示されるため、ユーザの困惑を少なくすることができる。本実施形態において、このような指標の変更においては、表示順序テーブル１２１の表示順序を維持するようにダイヤル表示部４１Ｂの全体の表示を制御する。ここで、回転ダイヤル部４１が回転されることによる表示内容の変更は、ニュートラルを基準として、回転方向及び回転量に応じて行われる。
【００７４】
また、表示制御部７５は、携帯電話機１における起動時において、ダイヤル表示部４１Ｂにおける選択位置Ｓにニュートラル（待ち受け機能）を示す指標を表示するように設定する。
【００７５】
また、表示制御部７５は、機能実行指示部７３により回転ダイヤル部４１による変更である判定された場合、機能選択部７２により選択された（機能実行指示部７３により指示された）機能を示す指標が選択位置Ｓに表示されるようダイヤル表示部４１Ｂを制御する。
【００７６】
また、表示制御部７５は、機能実行指示部７３により回転ダイヤル部４１による変更ではないと判定された場合であって、変更後の機能が回転ダイヤル部４１により指定可能な機能群に含まれる場合、機能実行指示部７３により指示された機能を示す指標が選択位置Ｓに表示されるようダイヤル表示部４１Ｂを制御する。
【００７７】
また、表示制御部７５は、機能実行指示部７３により回転ダイヤル部４１による変更ではないと判定された場合であって、変更後の機能が回転ダイヤル部４１により指定可能な機能群に含まれない場合、ニュートラルを示す指標が選択位置Ｓに表示されるようダイヤル表示部４１Ｂを制御する。
【００７８】
また、割り込み指定信号は、表示制御部７５に出力される。割り込み指定信号の入力により、表示制御部７５は、割り込み指定された指標を表示するように、回転ダイヤル部４１のダイヤル表示部４１Ｂを制御する。ダイヤル表示部４１Ｂは、実行中の第１機能に対応した第１指標が選択位置Ｓに表示されている状態であっても、第２機能に対応した第２指標を選択位置Ｓに位置するように表示を変更する。このとき、表示制御部７５は、表示順序テーブル１２１の順序を維持するようにダイヤル表示部４１Ｂにおける指標全体の表示を変更する。
【００７９】
次に、図１１及び図１２により、起動時における携帯電話機１の動作について説明する。
図１１は、起動時における携帯電話機１の動作を説明するフロー図である。図１２は、起動時におけるダイヤル表示部４１Ｂの表示態様を説明する図である。
【００８０】
まず、ユーザが起動ボタンを押下操作することで、携帯電話機１は、起動処理を開始する（ＳＴ１）。
この状態において、図１２（Ａ）に示すように、ダイヤル表示部４１Ｂにおける選択位置Ｓには、前回の起動時に実行されていた機能であるメール機能を示す指標が表示されている。
【００８１】
次いで、起動処理が開始されたことで、表示制御部７５（ダイヤル表示制御部）は、ダイヤル表示部４１Ｂにおける選択位置Ｓにニュートラル（待ち受け機能）を示す指標を表示するように設定する（ＳＴ２）。
【００８２】
また、表示制御部７５は、図１０に示される表示順序テーブル１２１を参照して、表示順序テーブル１２１における順序を維持して各機能を示す指標をダイヤル表示部４１Ｂに表示させる。これにより、ダイヤル表示部４１Ｂには、ニュートラルを示す指標が選択位置Ｓに表示されると共に、各機能を示す指標が表示順序テーブル１２１の順序を維持して表示される（ＳＴ３）。
【００８３】
続けて、起動処理が進み、携帯電話機１が起動される（ＳＴ４）。
携帯電話機１が起動されることで、ディスプレイ２１には、待ち受け画面が表示される（ＳＴ５）。
この状態において、図１２（Ｂ）に示すように、ダイヤル表示部４１Ｂにおける選択位置Ｓに表示される指標（ニュートラル（待ち受け））と、実際の機能状態とが一致している。つまり、携帯電話機１の起動時に生じる実行中の機能とダイヤル表示部４１Ｂの選択位置Ｓに表示される機能との不一致が解消されている。
携帯電話機１が上述のように動作することで、起動時において、ダイヤル表示部４１Ｂにおける選択位置Ｓにニュートラル（待ち受け）を示す指標を表示させることができる。
【００８４】
次に、図１３及び図１４により、回転ダイヤル部４１によらない機能変更時における携帯電話機１の動作について説明する。
図１３は、回転ダイヤル部４１によらない機能変更時における携帯電話機１の動作を説明するフロー図である。図１４は、回転ダイヤル部４１によらない機能変更時におけるダイヤル表示部４１Ｂの表示態様を説明する図である。
【００８５】
まず、所定機能（例えば、メール機能）の実行中に、回転ダイヤル部４１よらない機能変更操作がなされた場合、機能実行指示部７３に対して、機能変更要求が通知される（ＳＴ１１）。
例えば、図１４（Ａ）及び図１４（Ｂ）に示すように、メール機能の実行中に、添付操作に関するメニューからカメラ（機能）を選択した場合、機能実行指示部７３に対して、機能変更要求が通知される。
【００８６】
次いで、機能変更要求を受けた機能実行指示部７３は、まず、回転ダイヤル部４１による変更かを判定する（ＳＴ１２）。
機能実行指示部７３により回転ダイヤル部４１による変更であると判定された場合（ＳＴ１２、ＹＥＳ）、表示制御部７５は、ダイヤル表示部４１Ｂの表示内容を変更後の機能を示す指標が選択位置Ｓにくるよう更新する（ＳＴ１５）。
【００８７】
機能実行指示部７３により回転ダイヤル部４１による変更であると判定されなかった場合（ＳＴ１２、ＮＯ）、機能実行指示部７３は、続けて、変更後の機能が回転ダイヤル部４１の動作により実行可能に割り当てられている機能群に含まれるかを判定する（ＳＴ１３）。
【００８８】
機能実行指示部７３により、変更後の機能が前記機能群に含まれると判定された場合（ＳＴ１３、ＹＥＳ）、表示制御部７５は、ダイヤル表示部４１Ｂの表示内容を変更後の機能を示す指標が選択位置Ｓにくるよう更新する（ＳＴ１５）。図１４（Ａ）から図１４（Ｂ）への遷移の例の場合には、「カメラ（機能）」が前記機能群に含まれるのでカメラ機能を示す指標が選択位置Ｓに表示される。
【００８９】
機能実行指示部７３により、変更後の機能が前記機能群に含まれると判定されなかった場合（ＳＴ１３、ＮＯ）、表示制御部７５は、選択位置Ｓにニュートラルを示す指標が表示されるよう設定する（ＳＴ１４）。そして、表示制御部７５は、ダイヤル表示部４１Ｂの表示内容をニュートラルを示す指標が選択位置Ｓにくるよう更新する（ＳＴ１５）。
【００９０】
続けて、ダイヤル表示部４１Ｂの表示内容が変更された後、機能実行指示部７３は、機能実行部７４に対して、変更要求された機能を実行（変更）する（ＳＴ１６）。
この状態において、図１４（Ｃ）に示すように、ダイヤル表示部４１Ｂにおける選択位置Ｓに表示される指標（カメラ機能）と、実際の機能状態とが一致している。つまり、回転ダイヤル部４１によらない機能変更時に生じる実行中の機能とダイヤル表示部４１Ｂの選択位置Ｓに表示される機能との不一致が解消されている。
携帯電話機１が上述のように動作することで、回転ダイヤル部４１によらず機能が変更された場合、ダイヤル表示部４１Ｂにおける選択位置Ｓに表示される指標（機能）と、実行中の機能との整合がとれる。
【００９１】
本実施形態によれば、ダイヤル表示部４１Ｂにおいて、第１機能に対応した第１指標が選択位置Ｓに配置（表示）された状態で、第１機能とは異なる第２機能の実行が指示された場合、第２機能に対応した第２指標が選択位置Ｓに配置（表示）されるよう表示内容が更新される。これにより、ダイヤル表示部４１Ｂにおける選択位置Ｓに表示される指標と、実際の実行されている機能とが一致する。また、これにより、ダイヤル表示部４１Ｂにおける選択位置Ｓに表示される指標と、実際の実行されている機能との不一致によるユーザの困惑を抑制することができる。また、これにより、携帯電話機１における使用性を向上させることができる。
【００９２】
また、本実施形態によれば、ダイヤル表示部４１Ｂにおいて、各機能に対応する指標が所定の表示順序を維持した状態で表示内容が変更される。これにより、繰り返し使用により使用性が向上されると共に、ユーザにおける困惑を抑制できる。
【００９３】
また、本実施形態によれば、携帯電話機１の起動時において、選択位置Ｓにニュートラルを示す指標が自動的に表示されるようにダイヤル表示部４１Ｂにおける表示内容を制御する。これにより、携帯電話機１の起動時において、ダイヤル表示部４１Ｂにおける選択位置Ｓに表示される指標（ニュートラル（待ち受け））と、実際の機能状態との不一致を解消することができる。
【００９４】
また、本実施形態によれば、回転ダイヤル部４１によらない機能変更時において、選択位置Ｓに表示する指標を、変更後の機能が回転ダイヤル部４１により変更可能に割り当てられた機能群に含まれる場合には変更後の機能を示す指標とし、変更後の機能が前記機能群に含まれない場合にはニュートラルを示す指標としている。これにより、ユーザに対して、違和感のない表示とすることができる。
【００９５】
また、本実施形態によれば、第１機能の実行中に、指示部材３００によって第２機能を指示することができ、指示された第２機能を優先的に実行させることができる（割り込み）。これにより、回転ダイヤル部４１や待ち受け画面を介して機能変更する必要がなく、簡単且つ迅速機能変更をすることができる。また、この場合においても、ダイヤル表示部４１Ｂの表示と実行中の機能とが一致するよう表示制御される。これにより、携帯電話機１における使用性が向上する。
【００９６】
また、本実施形態によれば、電話通信機能、メール機能、インターネット通信機能からなる通信に関する機能を第２機能として割り込み指定することができる。このため、通信を基盤とする携帯電話機１の使用性を向上させることができる。
【００９７】
例えば、昨今のメールアプリケーションプログラムには、受信メールを表示している状態において、受信メール中に電話番号数字列が見つかった場合に、この数字列を選択決定するだけで電話アプリケーションプログラムが起動される「Ｐｈｏｎｅ  ｔｏ」機能や、ＵＲＬ文字列が見つかった場合に、この文宇列を選択決定するだけでＷｅｂアプリケーションプログラムが起動される「ＵＲＬ  ｔｏ」等、他の機能への連携を容易にする機能が組み込まれていることが多い。
このような連携機能付きのアプリを使用している場合において、「Ｐｈｏｎｅ  ｔｏ」「ＵＲＬ  ｔｏ」機能が働く場合には、図１３のフローチャートに照らすと、ステップＳＴ１２ではＮｏとなり、その後ステップＳＴ１３でＮｏとなる。そのため、ダイヤル表示部４１Ｂにおける表示をメール機能のアイコン（指標Ｉｃ）からニュートラル（指標Ｉａ）に変更する。
更に、Ｗｅｂ機能によりインターネットＷｅｂページを閲覧中に、「Ｍａｉｌ  ｔｏ」機能によってメール機能が立ち上がった場合には、図１３のフローチャートでは、ステップＳＴ１２ではＮｏとなるが、その後ステップＳＴ１３でＹｅｓとなるため、ダイヤル表示部４１Ｂにおける表示をニュートラル（指標Ｉａ）からメール機能のアイコン（指標Ｉｃ）に変更することとなる。
【００９８】
以上、好適な実施形態について説明したが、本発明は上述した実施形態に限定されることなく種々の形態で実施することができる。例えば、本実施形態において、携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）ナビゲーション装置等であってもよい。
【００９９】
また、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【０１００】
また、本実施形態において、回転ダイヤル部４１は、ヒンジ機構４Ａにおける開閉軸と略同軸の回転軸Ｚを中心に回転可能に構成されるが、これに限定されず、ユーザの操作によって回転自在な構成であればよい。例えば、回転ダイヤル部４１は、回転軸Ｚと直交する所定の回転軸を中心に回転可能に構成してもよい。
【０１０１】
また、本実施形態において、回転ダイヤル部４１により選択可能な機能は上述の通りであるが、これに限定されず、例えば、ユーザ自身が頻繁に使用するメニューを登録可能な構成であってもよいし、また、所望のＷｅｂアドレスを登録しておき、当該Ｗｅｂアドレスを回転ダイヤル部４１により選択することによって、Ｗｅｂブラウザが起動して当該ＷｅｂアドレスのＷｅｂページを閲覧できるような構成であってもよい。また、メニューの数も上述した数（７つ）に限定されるものではない。
【０１０２】
また、本実施形態において、機能選択部７２は、カウント部４４によりカウントされた位置ポイントの数に基づいて回転量を検出しているが、これに限定されず、所定のセンサにより回転ダイヤル部４１の回転角度の変化量を回転量として検出してもよい。また、機能選択部７２は、例えば、抵抗率の変化等により回転量を検出する構成にしてもよい。
【符号の説明】
【０１０３】
１      携帯電話機
２      操作部側筐体
３      表示部側筐体
４      ヒンジ機構
１１    操作部
２１    ディスプレイ
４１    回転ダイヤル部
４１Ｂ  指標表示部
７０    ＣＰＵ
７１    接触検出部
７２    機能選択部
７３    機能実行指示部
７４    機能実行部
７５    表示制御部
３００  指示ボタン
３００Ａ  メールボタン
３００Ｂ  受話ボタン
３００Ｃ  インターネットボタン
【図１】
2010232925.tif 000003
【図２】
2010232925.tif 000004
【図３】
2010232925.tif 000005
【図４】
2010232925.tif 000006
【図５】
2010232925.tif 000007
【図６】
2010232925.tif 000008
【図７】
2010232925.tif 000009
【図８】
2010232925.tif 000010
【図９Ａ】
2010232925.tif 000011
【図９Ｂ】
2010232925.tif 000012
【図１０】
2010232925.tif 000013
【図１１】
2010232925.tif 000014
【図１２】
2010232925.tif 000015
【図１３】
2010232925.tif 000016
【図１４】
2010232925.tif 000017
【図１５】
2010232925.tif 000018